(57)【特許請求の範囲】
【請求項１】
内視鏡のチャンネル内を通して体内に挿入される可撓性を有する挿入部に、外装チューブと、この外装チューブの内腔に配設され、前記挿入部の軸方向に進退自在な操作ワイヤとが設けられるとともに、
前記挿入部の先端部に配設され、開閉可能なカップ部を備えた生検鉗子部材が前記操作ワイヤの先端部に連結され、
前記挿入部の基端部に連結された操作部に前記操作ワイヤの進退操作を行ない、前記操作ワイヤを介して前記生検鉗子部材のカップ部を開閉操作する操作部材が配設された内視鏡用処置具において、
前記カップ部の周縁上に設けられた内側の切刃の角度θを前記カップの周縁面に対して８５°以上で９５°以下に設定したことを特徴とする内視鏡用処置具。
【発明の詳細な説明】
【０００１】
【発明の属する技術分野】
本発明は、内視鏡のチャンネル内を通して体内に挿入され、体腔内で生体組織を採取するために使用される内視鏡用処置具に関する。
【０００２】
【従来の技術】
一般に、生検用の内視鏡用処置具には、内視鏡のチャンネル内を通して体内に挿入される可撓性を有する細長い挿入部の先端部に図２５に示すように開閉可能なカップ部ａを備えた生検鉗子部材が配設されている。さらに、挿入部の基端部には生検鉗子部材のカップ部ａを開閉操作する操作部材が配設されている。
【０００３】
また、挿入部には、外装チューブと、この外装チューブの内腔に配設され、挿入部の軸方向に進退自在な操作ワイヤとが配設されている。そして、操作ワイヤの先端部に生検鉗子部材が連結され、操作部の操作部材の操作によって操作ワイヤの進退操作を行ない、この操作ワイヤを介して先端部の生検鉗子部材のカップ部ａが遠隔的に開閉操作されるようになっている。
【０００４】
また、この種の内視鏡用処置具として例えば特開平１１−７６２４４号公報には図２６に示すように生検鉗子のカップ部ａの開口部ｂの周縁上に沿って内側に切刃ｃが設けられた構成が示されている。この内側の切刃ｃはカップ部ａの開口部ｂの周縁部に沿う平面ｄに対しておおよそ４５〜７０°程度の角度に傾斜させたテーパ状の断面形状に形成されている。
【０００５】
そして、生検鉗子の使用時には図２５に示すように２つのカップ部ａ間に生体組織ｅを挟んで２つのカップ部ａ間に生体組織ｅの一部を収容した状態で、２つのカップ部ａ間を閉じることにより、カップ部ａの内側の切刃ｃで生体組織ｅを切断して生体組織ｅを生検するようになっている。
【０００６】
【発明が解決しようとする課題】
上記特開平１１−７６２４４号公報の内視鏡用処置具では、生検鉗子部材のカップ部ａの切刃ｃが４５〜７０°位の角度に形成されているので、図２６に示すようにカップ部ａの内側の切刃ｃで生体組織ｅを切断する際に、生体組織ｅに切刃ｃを食いつかせるための角度θ１が比較的小さい。そのため、カップ部ａの内側の切刃ｃが生体組織ｅに接触した際に、滑りやすく、生検鉗子のカップ部ａから生体組織ｅが抜けやすいので、生体組織ｅの採取量が少なくなりやすい問題がある。
【０００７】
本発明は上記事情に着目してなされたもので、その目的は、カップ部の周縁上の内側の切刃から生体組織が滑りにくく、生体組織ヘの食いつきが良く、生体組織の採取量を比較的大きくすることができる内視鏡用処置具を提供することにある。
【０００８】
【課題を解決するための手段】
本発明は、内視鏡のチャンネル内を通して体内に挿入される可撓性を有する挿入部に、外装チューブと、この外装チューブの内腔に配設され、前記挿入部の軸方向に進退自在な操作ワイヤとが設けられるとともに、
前記挿入部の先端部に配設され、開閉可能なカップ部を備えた生検鉗子部材が前記操作ワイヤの先端部に連結され、
前記挿入部の基端部に連結された操作部に前記操作ワイヤの進退操作を行ない、前記操作ワイヤを介して前記生検鉗子部材のカップ部を開閉操作する操作部材が配設された内視鏡用処置具において、
前記カップ部の周縁上に設けられた内側の切刃の角度θを前記カップの周縁面に対して８５°以上で９５°以下に設定したことを特徴とする内視鏡用処置具である。
【０００９】
そして、本発明では、カップ部の周縁上に設けられ、生体組織を切断するカップ部の内側の切刃の角度θが、前記カップの周縁面に対して８５°以上、９５°以下であり、特に加工をしやすいように略９０°に形成することにより、生体組織に切刃を食いつかせるためのカップ部の内側の切刃の食いつき角度θ２（図１２参照）を従来のカップ部の内側の切刃の食いつき角度θ１よりも大きくする。これにより、カップ部の内側の切刃が生体組織に接触した際に、生体組織がカップ部から滑りにくいため、生体組織の採取量を多くすることができるようにしたものである。
【００１０】
【発明の実施の形態】
以下、本発明の第１の実施の形態を図１乃至図１２を参照して説明する。図１は本実施の形態の内視鏡用処置具である内視鏡用生検鉗子１を示すものである。なお、本実施の形態では生検鉗子１を例に挙げて説明するが、内視鏡用処置具としては別にホットバイオプシ鉗子や把持鉗子などでも良い。
【００１１】
本実施の形態の内視鏡用生検鉗子１には内視鏡のチャンネル内を通して体内に挿入される可撓性を有する細長い挿入部２と、この挿入部２の基端部に連結された手元側の操作部３とが設けられている。
【００１２】
さらに、挿入部２には、外装チューブ４と、この外装チューブ４の内腔に配設され、挿入部２の軸方向に進退自在な２本の操作ワイヤ５，６とが設けられている。ここで、外装チューブ４には、図２（Ａ）に示すように密巻状態に巻回されたコイル７と、このコイル７の外表面にチュービング成形や熱収縮チューブなどにより被覆された外チューブ８と、コイル７の内腔に配設された内チューブ９とが設けられている。
【００１３】
また、コイル７の先端部には、カップ保持部材１０の基端部が嵌合されている。このカップ保持部材１０には、後述するようにスリット２２が設けられており、内視鏡チャンネル内への挿入時に、内視鏡チャンネルの内周面を傷つける可能性が一番高い部品である。その為、カップ保持部材１０の先端を極力球形状とすることが好ましい。また、切削加工後に、砥石等による遠心バレル研磨を行なってエッジを除去することも効果的である。また、図２７に示したように、スリット基端部８５をＲ形状に加工することも、内視鏡チャンネルにおける内周面の損傷を防止するのに効果的である。このカップ保持部材１０の基端部には、コイル７の先端部との嵌合部１０ａが設けられている。この嵌合部１０ａには後端側にコイル７の先端部が挿入される円形のコイル嵌合孔１０ｂ、先端側にこのコイル嵌合孔１０ｂよりも小径な針嵌合孔１０ｃが形成されている。そして、このカップ保持部材１０のコイル嵌合孔１０ｂ内にコイル７の先端部が挿入された状態で嵌合されている。さらに、コイル７の先端部とカップ保持部材１０との嵌合部１０ａにはレーザ溶接が施され、ここでレーザ溶接されたレーザ溶接部１１を介してカップ保持部材１０がコイル７の先端部に固定されている。
【００１４】
また、挿入部２の先端部には、カップ保持部材１０の先端部に固定されたピン１２を中心に回動自在に連結された一対の生検カップ（生検鉗子部材）１３，１４と、これらの生検カップ１３，１４に挟まれるように配置された針部材１５とが設けられている。
【００１５】
ここで、針部材１５はピン１２で固定された固定部の先端側に鋭利な針部１５ａが突設されている。さらに、この針部材１５の基端部側にはカップ保持部材１０の嵌合部１０ａの針嵌合孔１０ｃに挿入された状態で嵌合する嵌合部１５ｂが設けられている。また、特に必要がなければ、針部材１５が設けられていなくても良いことは勿論である。
【００１６】
また、２つの生検カップ１３，１４は、略同一構造になっているので、ここでは一方の生検カップ１３の構成を説明し、他方の生検カップ１４については生検カップ１３と同一部分には同一の符号を付してその説明を省略する。
【００１７】
すなわち、生検カップ１３には図２（Ｃ）に示すようにカップ部１６と、このカップ部１６の基端部側に連結されたアーム部１７とが設けられている。さらに、アーム部１７の基端部にはワイヤ固定孔１８が形成されている。そして、一方の生検カップ１３のワイヤ固定孔１８には、操作ワイヤ６の先端部、他方の生検カップ１４のワイヤ固定孔１８には、操作ワイヤ５の先端部がそれぞれ挿入された状態で固定されている。なお、各操作ワイヤ５，６の先端部にはストッパ部１９が形成され、ワイヤ固定孔１８から各操作ワイヤ５，６の先端部が外れないようにしてある。
【００１８】
また、生検カップ１３，１４の各ワイヤ固定孔１８の周辺には操作ワイヤ５，６に大きな力が加わっても大丈夫なようにアーム部１７の基端部の厚さｔを増やした補強用の肉厚部２０が形成されている。さらに、アーム部１７の基端部には生検カップ１３，１４を閉じた状態でもある程度生検カップ１３，１４が回転できるように針部材１５と干渉する部分にテーパ２１が設けてある。
【００１９】
また、図３に示すようにカップ保持部材１０の先端部には軸心部位にスリット２２が形成されている。このスリット２２は図５（Ａ），（Ｂ）および図６（Ａ），（Ｂ）に示すように針部材１５を両側から生検カップ１３，１４のアーム部１７で挟んだ状態でこのスリット２２内に挿入できる程度の幅寸法に設定されている。さらに、このスリット２２の基端部は基端部側の嵌合部１０ａの近傍部位まで延設されている。そして、このスリット２２の両側にアーム状の連結アーム２３ａ，２３ｂが略平行に形成されている。
【００２０】
また、一方の連結アーム２３ａの先端部には第２のスリット２４が形成されている。このスリット２４はピン１２の中実軸部１２ａが通過できる寸法に設定されている。なお、ピン１２には中実軸部１２ａの一端部にこの中実軸部１２ａよりも大径な皿部１２ｂが形成されている。
【００２１】
さらに、カップ保持部材１０の２つの連結アーム２３ａ，２３ｂにはピン１２の挿通孔２５がそれぞれ対応する位置に形成されている。ここで、連結アーム２３ａの挿通孔２５はスリット２４の終端部に連結されている。また、連結アーム２３ａには挿通孔２５の周縁部位にピン１２の皿部１２ｂと係合する皿受け部２６が形成されている。
【００２２】
そして、この挿入部２の先端部の部分の組立時には、図５（Ａ）に示すように予め生検カップ１３，１４と、針部材１５とをピン１２で仮組した仮組ユニットを形成する。その後、この仮組ユニットをカップ保持部材１０側に組み付ける。このとき、図５（Ｂ）に示すようにピン１２の中実軸部１２ａをカップ保持部材１０のスリット２４に沿ってスライドさせながら図６（Ａ）に示すように中実軸部１２ａと連通孔２５の位置とを合わせる。続いて、図６（Ｂ）に示すようにピン１２の皿部１２ｂとカップ保持部材１０の皿受け部２６とを嵌合させ、ピン１２における皿部１２ｂとは反対側の中実部端面をレーザー溶接、カシメ、ロー付、半田付け、超音波溶接などの手段でカップ保持部材１０と接合させる。
【００２３】
また、外装チューブ４の内腔に配設された操作ワイヤ５，６の基端部は手元側の操作部３側に延出されている。ここで、外装チューブ４の内チューブ９と操作ワイヤ５，６の組立方法は内チューブ９の内腔に操作ワイヤ５，６を挿通させて組立てても良いが、図４（Ｂ）に示すように押出し式チューブ成形機２７を使用し、操作ワイヤ５，６を芯金にしてチューブ９を成形させ、操作ワイヤ５，６と内チューブ９とを一体的に作製しても良い。この時、操作ワイヤ５，６は内チューブ９に密着しておらず、操作ワイヤ５，６が内チューブ９の内腔を摺動できるように成形されている。
【００２４】
さらに、押出し式チューブ成形機２７による成形時に内チューブ９をできるだけ真円に作るために図４（Ａ）に示すように内チューブ９内に操作ワイヤ５，６と一緒にダミーワイヤ２８を１本入れて成形しても良い。この時、ダミーワイヤ２８は１本以上であれば何本でも良い。また、成形後は仕様寸法にカットしたワイヤ内蔵型のチューブからダミーワイヤを取り除いて使用する。
【００２５】
また、操作部３は、図１に示すように操作部本体２９と、スライダ（操作部材）３０とで構成されている。ここで、操作部本体２９にはスライダ３０の移動を案内する２つのガイドレール部３１ａ，３１ｂが軸方向に沿って延設されている。さらに、操作部本体２９の基端部には手指などが挿入されるリング３２が形成されている。
【００２６】
また、スライダ３０には操作部本体２９のガイドレール部３１ａ，３１ｂに沿って軸方向に移動する略円筒状のスライダ本体３３が設けられている。このスライダ本体３３は図１０（Ａ），（Ｂ）に示すように円形断面を２分割した略半円形状の断面形状の同一形状をした２つのスライダ構成部材３４ａ，３４ｂが接合されて構成されている。ここで、２つのスライダ構成部材３４ａ，３４ｂの各接合面には図８に示すように係合凹部３５と係合凸部３６とがそれぞれ左右対称に二つづつ設けられているとともに、超音波溶着用の凸部３７と凹部３８とが左右対称に二つづつ設けられている。
【００２７】
そして、図１０（Ｂ）に示すように２つのスライダ構成部材３４ａ，３４ｂを接合させた際に、例えばスライダ構成部材３４ｂ側の係合凹部３５内にスライダ構成部材３４ａ側の係合凸部３６が係合され、この状態で超音波溶着などによって２つのスライダ構成部材３４ａ，３４ｂが接合されている。この超音波溶着は２つのスライダ構成部材３４ａ，３４ｂにそれぞれ左右対称に２つづつある凸部３７が溶けることで溶着される。また、凹部３８は、凸部３７が溶融した際に接合部に隙間ができないための逃げシロである。さらに、２つのスライダ構成部材３４ａ，３４ｂは特に組立性を考慮しなければ同一形状でなくても別に良い。
【００２８】
また、スライダ本体３３の軸心部には操作ワイヤ５，６の基端部との連結部３９が設けられている。ここで、図８、９および図１０（Ａ），（Ｂ）に示すように操作ワイヤ５，６の基端部は操作パイプ４０内に配設されている。この操作パイプ４０の基端部は円筒形状をしたストッパ４１に嵌入されている。さらに、操作ワイヤ５，６と、操作パイプ４０と、ストッパ４１とは、例えばオートスプライス加工や、カシメ、ロー付、半田付、あるいは超音波振動によって金属同士を溶接させる超音波溶接などによって一体的に接合されている。
【００２９】
また、スライダ本体３３の軸心部にはストッパ４１と係合する係合凹部４２が形成されている。そして、同一形状をした２つのスライダ構成部材３４ａ，３４ｂの係合凹部４２にストッパ４１が係合する状態で、スライダ本体３３の軸心部の連結部３９が形成されている。ここで、２つのスライダ構成部材３４ａ，３４ｂが同一形状をしていることで方向性が無い組立を実現している。
【００３０】
そして、操作部３の操作部本体２９に沿ってスライダ３０を軸方向にスライド操作することにより、２本の操作ワイヤ５，６の進退操作を行ない、これらの操作ワイヤ５，６を介して生検カップ１３，１４のカップ部１６を開閉操作するようになっている。
【００３１】
また、生検カップ１３，１４には図１１に示すようにカップ部１６の開口部４３の周縁上に内側の切刃４４が設けられている。ここで、カップ部１６の内面には開口部４３の近傍部位に図１２に示すように略円弧状の断面形状の凹陥部４５が形成され、この凹陥部４５における開口部４３の周縁位置の端縁部によってこの内側の切刃４４が形成されている。これにより、カップ部１６の内側の切刃４４はカップ部１６のカップ内側面１６ａよりもカップ外側面１６ｂの方ヘズレた位置に形成されている。
【００３２】
さらに、この内側の切刃４４は図１２に示すようにカップ部１６の開口部４３の周縁部に沿う平面に対して略９０°の角度に設定されている。ここで、内側の切刃４４の角度は８５°〜１８０°であれば良く、角度が大きいほど生体組織ヘの食いつきが良いが、本実施の形態では加工のやり易さから略９０°に形成してある。なお、各生検カップ１３，１４の切刃４４は図２（Ｃ）に示すようにカップ部１６における開口部４３の縁周上の少なくとも一部に形成されていれば良い。
【００３３】
また、図７（Ａ）に示すように各生検カップ１３，１４の切刃４４の刃面はピン１２の中心位置を通る挿入部２の中心線Ｏ１よりも少しだけこの中心線Ｏ１と直交する方向に適宜の長さのオフセット量Ｓ１にオフセットした状態に設定されている。このようにオフセットしてあることで、２つの生検カップ１３，１４を閉じる方向に操作した際に、図７（Ｂ）に示すように各生検カップ１３，１４の先端の端縁部１３ａ，１３ｂで切刃４４が最初に当るようにすることができる。そのため、従来の生検鉗子の組立時に各生検カップ１３，１４の先端で切刃４４が当るように調整していた作業を省略することができ、組立工数の簡略化が可能となる。
【００３４】
さらに、図７（Ｂ）に示すように生検カップ１３，１４が先端の端縁部１３ａ，１３ｂで切刃４４が当った時の切刃４４の刃面の傾斜角度θ１１は０°以上であれば良いが、できれば１°以内に抑えることが望ましい。なお、生検カップ１３，１４はステンレスなどの金属材料で作られ、さらに硬度や強度を上げる目的でガス軟チッ化処理をしていても良い。
【００３５】
また、生検鉗子１を梱包する際に生検カップ１３，１４、針部材１５が梱包材を傷つけたりしないように生検カップ１３，１４の先端には図示しないキャップを付ける。このキャップは梱包材を保護するものであればなんでも良いが、コストを安くするために樹脂、例えばポリオレフィン、フッ素系樹脂、ポリアミド、シリコン、ラテックスなどのチューブ材を短く切って使用しても良い。
【００３６】
次に、上記構成の作用について説明する。本実施の形態の内視鏡用生検鉗子１では操作部３のスライダ３０を操作部本体２９のガイドレール部３１ａ，３１ｂに沿って軸方向にスライド操作することにより、２本の操作ワイヤ５，６の進退操作を行ない、これらの操作ワイヤ５，６を介して生検カップ１３，１４のカップ部１６が開閉操作される。
【００３７】
そして、生検鉗子１の使用時には図１１に示すように２つの生検カップ１３，１４のカップ部１６間に生体組織Ｈを挟んで２つの生検カップ１３，１４のカップ部１６間に生体組織Ｈの一部を収容した状態で、２つの生検カップ１３，１４のカップ部１６間を閉じることにより、カップ部１６の内側の切刃４４で生体組織Ｈを切断して生体組織Ｈが生検される。
【００３８】
このとき、本実施の形態では生検カップ１３，１４のカップ部１６の周縁上に設けられたカップ部１６の内側の切刃４４の角度θをカップ部１６の開口部４３の周縁部に沿う平面に対して略９０°に形成したので、生体組織Ｈを２つの生検カップ１３，１４のカップ部１６間で掴む時の切刃４４の向きを図１２中に矢印で示すように生体組織Ｈに食い込みやすい方向に向けることができる。
【００３９】
そこで、上記構成のものにあっては次の効果を奏する。すなわち、本実施の形態では生検カップ１３，１４のカップ部１６の周縁上に設けられたカップ部１６の内側の切刃４４の角度をカップ部１６の開口部４３の周縁部に沿う平面に対して略９０°に形成したので、２つの生検カップ１３，１４のカップ部１６間を閉じた際に、生体組織Ｈを２つの生検カップ１３，１４のカップ部１６間で掴む時の切刃４４の向きを図１２中に矢印で示すように生体組織Ｈに食い込みやすい方向に向けることができる。そのため、生体組織Ｈを２つの生検カップ１３，１４のカップ部１６間でしっかりと掴め、カップ部１６の内側の切刃４４で引き千切る時にカップ部１６から生体組織Ｈが外れにくいので、生体組織Ｈが大きく取れ、病理学的な診断が容易になる効果がある。
【００４０】
また、生体組織Ｈがカップ部１６から滑りにくいので、生検時に生体組織Ｈの座滅も少なく、前述と同様に病理診断が容易になる。さらに、２つの生検カップ１３，１４のカップ部１６に形成された内側の切刃４４は形状がシンプルなので、２つの生検カップ１３，１４のカップ部１６に内側の切刃４４を成形する刃付けの加工・形成も容易に行なうことができ、コストを抑えることができる。
【００４１】
さらに、本実施の形態では生検カップ１３，１４のカップ部１６のカップ内側面１６ａにおける開口部４３の近傍部位に図１２に示すように略円弧状の断面形状の凹陥部４５を形成し、この凹陥部４５における開口部４３の周縁位置の端縁部によってカップ部１６の内側の切刃４４を形成したので、カップ部１６の内側の容積を大きくすることができ、生検量を多くできる効果もある。
【００４２】
なお、本実施の形態では生検カップ１３，１４のカップ部１６のカップ内側面１６ａにおける開口部４３の近傍部位に図１２に示すように略円弧状の断面形状の凹陥部４５を形成し、この凹陥部４５における開口部４３の周縁位置の端縁部によってカップ部１６の内側の切刃４４を形成した構成を示したが、このカップ部１６の内側の切刃４４は次の通り変更してもよい。図１３（Ａ）はカップ部１６のカップ内側面１６ａの切刃４４の第１の変形例を示すものである。本変形例は、生検カップ１３，１４のカップ部１６のカップ内側面１６ａにおける開口部４３の近傍部位に略段状の断面形状の凹陥部４６を形成し、この凹陥部４６における開口部４３の周縁位置の端縁部によってカップ部１６の内側の切刃４４を形成したものである。この場合も生検カップ１３，１４のカップ部１６のカップ内側面１６ａに凹陥部４６を形成したので、カップ部１６の内側の容積を大きくすることができ、生検量を多くできる。ここで、カップ１３，１４の周縁面に対する切刃４４の角度をθとした際に、このθの変化に対して組織採取量とカップ１３，１４における切削加工性について検討した結果を、表１に示す。
【００４３】
【表１】
0003745234.tif 000002
【００４４】
表１中の記号は、「◎」の場合は「非常に良い」、「○」の場合は「良い」、「△」の場合は「普通」、そして「×」の場合は「悪い」という評価結果を示している。
【００４５】
表１に記載の評価結果を参酌すると、組織採取量は切刃の角度θが８５°以上になると「良い」、すなわち採取量が多くなるという結果が得られ、９５°以上になると「非常に良い」、すなわち採取量が非常に多くなるという結果が得られた。また、加工性では、切刃の角度θが９０°まででは「良い」という結果が得られたが、９０°を越えると徐々に悪くなり、さらに９５°を越えると非常に悪くなるという結果が得られた。これらの評価結果から、組織採取量が多く、そして加工性が良好で問題の無い切刃の角度θは、８５°以上で９５°以下であることが確認できた。
【００４６】
また、図１３（Ｂ）は第２の変形例を示すものである。本変形例は、生検カップ１３，１４のカップ部１６のカップ内側面１６ａにおける開口部４３の近傍部位に段部を複数段、本実施の形態では３段積み重ねた３段式の凹陥部４７を形成し、この凹陥部４７における開口部４３の周縁位置の端縁部によってカップ部１６の内側の切刃４４を形成したものである。この場合も生検カップ１３，１４のカップ部１６のカップ内側面１６ａに凹陥部４７を形成したので、カップ部１６の内側の容積を大きくすることができ、生検量を多くできる。
【００４７】
また、図１３（Ｃ）は第３の変形例を示すものである。本変形例は生検カップ１３，１４のカップ部１６のカップ外側面１６ｂにおける開口部４３の近傍部位に略円弧状の断面形状の凹陥部４８を形成し、この凹陥部４８における開口部４３の周縁位置の端縁部と対応するカップ内側面１６ａにおける開口部４３の近傍部位にカップ部１６の内側の切刃４４を形成したものである。この場合には切刃４４の刃厚がカップ内側面１６ａとカップ外側面１６ｂとの間の厚さよりも薄くなっているので、生体組織Ｈの切れ味を向上させることができる。
【００４８】
また、図１３（Ｄ）は第４の変形例を示すものである。本変形例は第３の変形例（図１３（Ｃ）参照）のカップ部１６におけるカップ外側面１６ｂと凹陥部４８との間の角部４９を切除して滑らかな円弧形状部５０を形成したものである。この場合には滑らかな円弧形状部５０を内視鏡の鉗子チャンネルに接触させることができるので、カップ部１６におけるカップ外側面１６ｂと凹陥部４８との間の角部４９が内視鏡の鉗子チャンネルの内壁面に引っ掛かることを防止して内視鏡の鉗子チャンネルの破損を防止することができる。
【００４９】
また、図１４乃至図１９は本発明の第２の実施の形態を示すものである。本実施の形態は第１の実施の形態（図１乃至図１２参照）の内視鏡用生検鉗子１の生検カップ１３，１４の構成を次の通り変更したものである。なお、本実施の形態では生検鉗子を例に挙げて説明するが、第１の実施の形態と同様に別にホットバイオプシ鉗子や把持鉗子などでも良い。
【００５０】
すなわち、本実施の形態の生検カップ６１，６２には図１４および図１５中で上側の生検カップ６１のカップ部６３の開口部の周縁部位に略Ｖ字型の複数、本実施の形態では７つのＶ型刃６４ａ〜６４ｇが下向きに形成されている。さらに、図１４および図１５中で下側の生検カップ６２のカップ部６５の開口部の周縁部位には上側の生検カップ６１のＶ型刃６４ａ〜６４ｇと噛合する略Ｖ字型の複数、本実施の形態では８つのＶ型刃６６ａ〜６６ｈが上向きに形成されている。
【００５１】
また、これらの上側の生検カップ６１の各Ｖ型刃６４ａ〜６４ｇおよび下側の生検カップ６２の各Ｖ型刃６６ａ〜６６ｈの内側の切刃６７はいずれも図１７に示すように刃の角度が略９０°に形成されている。ここで、各Ｖ型刃６４ａ〜６４ｇ、６６ａ〜６６ｈの内面には頂点位置の近傍部位に図１７に示すように略円弧状の断面形状の凹陥部６８が形成され、この凹陥部６８における頂点の周縁位置の端縁部によってこの内側の切刃６７が形成されている。これにより、各Ｖ型刃６４ａ〜６４ｇ、６６ａ〜６６ｈの内側の切刃６７はそれぞれのカップ部６３，６５のカップ内側面６３ａ，６５ａよりもカップ外側面６３ｂ，６５ｂの方ヘズレた位置に形成されている。
【００５２】
なお、各Ｖ型刃６４ａ〜６４ｇ、６６ａ〜６６ｈの内側の刃部６７の角度は第１の実施の形態と同様に８５〜１８０°であれば良いが、本実施の形態では加工し易い様に略９０°に設定されている。
【００５３】
また、図１４に示すように上側の生検カップ６１の最先端位置のＶ型刃６４ａとその両側の２番目のＶ型刃６４ｂ、６４ｅとの間には下側の生検カップ６２と接合される略直線状の突き当て部６９が形成されている。ここで、下側の生検カップ６２には上側の生検カップ６１の突き当て部６９と接合される略直線状の突き当て部７０が同様に形成されている。
【００５４】
これらの上側の生検カップ６１の突き当て部６９と、下側の生検カップ６２の突き当て部７０とは各生検カップ６１，６２のピン１２の中心位置を通る挿入部２の中心線Ｏ１と同じ面か、あるいは中心線Ｏ１を越えた位置（上側の生検カップ６１の突き当て部６９は中心線Ｏ１よりも下側、下側の生検カップ６２の突き当て部７０は中心線Ｏ１よりも上側）にオフセットされている。
【００５５】
そこで、上記構成の本実施の形態では第１の実施の形態と同様に上側の生検カップ６１の各Ｖ型刃６４ａ〜６４ｇおよび下側の生検カップ６２の各Ｖ型刃６６ａ〜６６ｈの内側の切刃６７はいずれも図１７に示すように刃の角度が略９０°に形成されているので、本実施の形態でも生体組織Ｈを掴む時の内側の切刃６７の向きが生体組織に食い込みやすい方向に向く。
【００５６】
また、本実施の形態では図１４および図１５中で上側の生検カップ６１のカップ部６３に略Ｖ字型の７つのＶ型刃６４ａ〜６４ｇを下向きに形成し、下側の生検カップ６２のカップ部６５に８つのＶ型刃６６ａ〜６６ｈを上向きにそれぞれ形成したので、さらに生体組織ヘの食いつきが良い。
【００５７】
さらに、本実施の形態では上側の生検カップ６１の突き当て部６９と、下側の生検カップ６２の突き当て部７０とは各生検カップ６１，６２のピン１２の中心位置を通る挿入部２の中心線Ｏ１と同じ面か、あるいは中心線Ｏ１を越えた位置（上側の生検カップ６１の突き当て部６９は中心線Ｏ１よりも下側、下側の生検カップ６２の突き当て部７０は中心線Ｏ１よりも上側）にオフセットした位置に配置する状態に設定したので、図１８に示すように上側の生検カップ６１の突き当て部６９と、下側の生検カップ６２の突き当て部７０とを突き当てた際に、上側の生検カップ６１の各Ｖ型刃６４ａ〜６４ｇおよび下側の生検カップ６２の各Ｖ型刃６６ａ〜６６ｈがそれぞれのカップ部６３，６５の外接円Ｃ１から外側にはみ出ることを防止することができる。なお、図１９は図１８中の丸印のＡ部分の拡大図であり、この図１８に示すようにカップ部６３，６５の外接円Ｃ１から上側の生検カップ６１の各Ｖ型刃６４ａ〜６４ｇおよび下側の生検カップ６２の各Ｖ型刃６６ａ〜６６ｈが外側にはみ出ていないことが分かる。
【００５８】
また、上側の生検カップ６１の突き当て部６９と、下側の生検カップ６２の突き当て部７０とが図７（Ａ）に示すようにオフセットしてある場合には図２０に示すように上側の生検カップ６１の突き当て部６９と、下側の生検カップ６２の突き当て部７０とを突き当てた際に、上側の生検カップ６１の各Ｖ型刃６４ａ〜６４ｇおよび下側の生検カップ６２の各Ｖ型刃６６ａ〜６６ｈがそれぞれのカップ部６３，６５の外接円Ｃ１から外側にはみ出てしまうことになる。なお、図２１は図２０中の丸印のＢ部分の拡大図であり、この図２１に示すようにカップ部６３，６５の外接円Ｃ１から上側の生検カップ６１の各Ｖ型刃６４ａ〜６４ｇおよび下側の生検カップ６２の各Ｖ型刃６６ａ〜６６ｈが外側にはみ出ているのが分かる。
【００５９】
そして、本実施の形態ではこのように上側の生検カップ６１の各Ｖ型刃６４ａ〜６４ｇおよび下側の生検カップ６２の各Ｖ型刃６６ａ〜６６ｈがそれぞれのカップ部６３，６５の外接円Ｃ１から外側にはみ出てしまうことを防止することができるので、カップ部６３，６５の外接円Ｃ１から外側にはみ出てしまう部分が内視鏡の鉗子チャンネルの内壁面に引っ掛かることを防止して内視鏡の鉗子チャンネルの破損を防止することができる。
【００６０】
また、図２２および図２３は本発明の第３の実施の形態を示すものである。本実施の形態は第２の実施の形態（図１４乃至図１９参照）の内視鏡用生検鉗子１の生検カップ６１，６２の構成を次の通り変更したものである。
【００６１】
すなわち、本実施の形態では図２２に示すように第２の実施の形態の生検カップ６１，６２における各カップ部６３，６５の円筒形状部８１の先端部に形成された球形状部８２に配置されている生検カップ６１側のＶ型刃６４ｂ、６４ｅと、生検カップ６２側のＶ型刃６６ｃ、６６ｆとを無くし、突き当て部６９、７０を延長する構成にしている。
【００６２】
そこで、本実施の形態では、内視鏡のアングルがきつい場合（湾曲量が大きい場合）に例えば図１４に示す生検カップ６１，６２が紙面垂直方向に位置ズレを生じた際に、球形状部８２に配置されている生検カップ６１側のＶ型刃６４ｂ、６４ｅと、生検カップ６２側のＶ型刃６６ｃ、６６ｆとが内視鏡の鉗子チャンネルの内壁面に引っ掛かることを防止して内視鏡の鉗子チャンネルの破損を防止することができる。そのため、本実施の形態では内視鏡用生検鉗子１の安全性をさらに高めることができる。
【００６３】
また、図２４（Ａ）は本発明の第４の実施の形態を示すものである。本実施の形態は第１の実施の形態（図１乃至図１２参照）の内視鏡用生検鉗子１の外装チューブ４の構成を次の通り変更したものである。
【００６４】
すなわち、本実施の形態では挿入部２の外装チューブ４における外チューブ８を生検鉗子１の先端位置から所定の長さＬ１、例えば３０ｍｍ〜２００ｍｍ程度剥すことにより外チューブ８の先端部を無くし、コイル７の外表面部分が外部に露出された構造にしてある。
【００６５】
そこで、本実施の形態では挿入部２の先端部側の可撓性を向上させることができるので、内視鏡用生検鉗子１の挿入部２が内視鏡の鉗子チャンネルを挿通する際に内視鏡の先端アングルがきつい場合（湾曲量が大きい場合）でも軽く挿通することができる。
【００６６】
なお、外チューブ８を剥す寸法は特に前記した寸法に限定されるものではなく、挿入部２の挿通性が良くなる寸法であればいくら剥してあっても構わない。但し、外チューブ８を剥しすぎた場合には内視鏡用生検鉗子１の挿入部２における手元側の腰が無くなり、内視鏡用生検鉗子１の挿入部２を内視鏡の鉗子チャンネルに押込む際に押込み難くなるので、手元側の押込み性を失わない程度に外チューブ８を剥すことが望ましい。そして、本実施の形態ではこの点を考慮して、外装チューブ４における外チューブ８を生検鉗子１の先端位置から１００ｍｍ程度剥した状態が押込み性と挿通性を満足するので望ましい。
【００６７】
なお、前述の構成は本実施の形態のような生検鉗子１だけではなく別に把持鉗子や糸切鉗子、鋏鉗子、ホットバイオプシ鉗子、高周波スネア、回転クリップ装置、結紮装置、砕石具、採石バスケット、細胞診ブラシ、パピロトームなどでも良い。
【００６８】
また、図２４（Ｂ）は本発明の第５の実施の形態を示すものである。本実施の形態は第１の実施の形態（図１乃至図１２参照）の内視鏡用生検鉗子１の挿入部２の構成を次の通り変更したものである。
【００６９】
すなわち、本実施の形態では挿入部２の手元側に外チューブ８の外側にさらに手元側を補強する手元チューブ９１を被覆する構成にしたものである。さらに、手元チューブ９１を被覆する寸法は、例えば挿入部２の有効長Ｌ２が１５５０ｍｍの場合には操作部３の先端側からの長さＬ３が５５０ｍｍ程度、または挿入部２の有効長Ｌ２が２３００ｍｍの場合には操作部３の先端側からの長さＬ３が９５０ｍｍ程度が望ましい。ここで、手元チューブ９１を被覆する被覆寸法は内視鏡のアングル部の手元側に挿入部２の先端が通過しようとした時に手元チューブ９１の先端側が内視鏡の鉗子チャンネル口を通過している寸法であることが好ましい。
【００７０】
そこで、本実施の形態では挿入部２の手元側に外チューブ８の外側にさらに手元チューブ９１を被覆して手元側を補強したので、挿入部２の手元側の捩れを防止することができる。そのため、例えば挿入部２を鉗子チャンネルに挿入する際、挿入部２が長いために挿入部２に捩れが発生し、この捩れによってコイル７の内腔を進退する操作ワイヤ５，６にも捩れが発生し、操作ワイヤ５，６の動きが悪くなることを防止することができる。
【００７１】
さらに、前述の構成は本実施の形態のような生検鉗子１だけではなく別に把持鉗子や、糸切鉗子、鋏鉗子、ホットバイオプシ鉗子、高周波スネア、回転クリップ装置、結紮装置、砕石具、採石バスケット、細胞診ブラシ、パピロトームなどでも良い。
【００７２】
次に、本発明における第６の実施の形態を、図２７及び図２８を用いて説明する。
本第６の実施の形態における処置具は、前述した第５の実施の形態における生検鉗子に対して、カップ保持部材１０の基端から手元側に向かってＬ＝５ｍｍ以内の範囲で、コイル７の外周に凹部８３を設けた点で異なる。他の構成については前述した第５の実施の形態における生検鉗子と同一である。
【００７３】
本実施の形態における生検鉗子は、前記凹部８３を設けることによりこの凹部８３によってコイル７が曲がり易くなり、よって内視鏡のチャンネルに挿入する際に挿入し易いという効果を奏するものである。また、図２８に示すように、コイル７の先端面から、コイル７の外周に細径部８４を設けるという従来技術が存在するが、このような場合は、カップ保持部材１０とコイル７との接合部が脆弱になるという欠点がある。特にレーザー溶接やカシメ接合では、細径部８４に熱応力などの影響を与え易く、内視鏡チャンネルヘの繰返し挿脱によって破損し易くなるという欠点がある。本実施の形態における生検鉗子では、以上の様な欠点を解消することができる。
【００７４】
なお、本発明は上記各実施の形態に限定されるものではなく、その他、本発明の要旨を逸脱しない範囲で種々変形実施できることは勿論である。
次に、本出願の他の特徴的な技術事項を下記の通り付記する。
【００７５】
記
（付記項１）  可撓性を有する挿入部と、
前記挿入部の内腔に配設され、前記挿入部の軸方向に進退自在な操作ワイヤと、
前記挿入部の近位端と接続され、前記操作ワイヤの進退を行なうことができる操作部と、
前記挿入部の遠位端に取り付けられた生検鉗子部材と、
前記生検鉗子部材のカップ部と、
前記生検鉗子部材の腕部と、
を有する内視鏡用処置具において、前記カップ部の内側の縁周上に設けられた切刃の角度θが前記カップの周縁面に対して８５°以上で９５°以下であることを特徴とする内視鏡用処置具。
【００７６】
（付記項２）  前記角度が略９０°であることを特徴とする付記項１に記載の内視鏡用処置具。
（付記項３）  前記角度が前記カップ部のカップ内側面よりも外側に形成されていることを特徴とする付記項１ないし付記項２に記載の内視鏡用処置具。
【００７７】
（付記項４）  前記カップ部のカップ外側面に角部を有さず、且つ前記切刃の刃厚が前記カップ部のカップ内側面と前記カップ外側面で構成された肉厚よりも小さいことを特徴とする付記項１ないし付記項２に記載の内視鏡用処置具。
【００７８】
（付記項５）  前記生検鉗子部材が金属材料でできていることを特徴とする付記項１に記載の内視鏡用処置具。
（付記項６）  前記生検鉗子部材が樹脂材料でできていることを特徴とする付記項１に記載の内視鏡用処置具。
【００７９】
（付記項７）  先端側を略半球状に、手元側を略半円筒状に形成された前記カップ部の先端または側面に少なくとも１つ以上設けられた略Ｖ字状の歯に、前記切刃が少なくとも１つは設けられていることを特徴とする付記項１に記載の内視鏡用処置具。
【００８０】
（付記項８）  前記略Ｖ字状の歯のうちで側面がわの歯が、前記カップの前記略半球状部分に掛かって形成されないことを特徴とする付記項７に記載の内視鏡用処置具。
【００８１】
（付記項９）  前記生検鉗子部材が一対で構成されていることを特徴とする付記項１に記載の内視鏡用処置具。
（付記項１０）  前記生検鉗子部材が同一形状の部材で構成されていることを特徴とする付記項９に記載の内視鏡用処置具。
【００８２】
（付記項１１）  前記生検鉗子部材が切削加工で作られていることを特徴とする付記項１に記載の内視鏡用処置具。
（付記項１２）  前記生検鉗子部材がメタル・インジェクション・モールド（ＭＩＭ）または鋳造で作られていることを特徴とする付記項１に記載の内視鏡用処置具。
【００８３】
（付記項１３）  前記生検鉗子部材が冷間鍛造で作られていることを特徴とする付記項１に記載の内視鏡用処置具。
（付記項１４）  可撓性を有する挿入部と、
前記挿入部の内腔に配設され、前記挿入部の軸方向に進退自在な操作ワイヤと、
前記挿入部の近位端と接続され、前記操作ワイヤの進退を行なうことができる操作部と、
前記挿入部の遠位端に取り付けられた一対の生検鉗子部材と、
前記生検鉗子部材のカップ部と、
前記生検鉗子部材の腕部と、
前記カップ部に形成され、鉗子を閉じた時に少なくとも一部が他方と接触するカップ当接面と、
前記カップ部の前記カップ当接面と反対側に形成されたカップ底部と、
前記腕部に形成された前記生検鉗子部材を回動させるための軸孔と、
前記軸孔に嵌合する軸と、
を有する内視鏡用処置具において、前記カップ当接面が前記軸孔の中心よりも前記カップ底部側にずれて配置されていることを特徴とする内視鏡用処置具。
【００８４】
（付記項１５）  可撓性を有する挿入部と、
前記挿入部の内腔に配設され、前記挿入部の軸方向に進退自在な操作ワイヤと、
前記挿入部の近位端と接続され、前記操作ワイヤの進退を行なうことができる操作部と、
前記挿入部の遠位端に取り付けられた一対の生検鉗子部材と、
前記生検鉗子部材のカップ部と、
前記生検鉗子部材の腕部と、
前記カップ部の先端または側面に少なくとも１つ以上設けられた略Ｖ字状の歯と、
前記カップ部に形成され、鉗子を閉じた時に少なくとも一部が他方と接触するカップ当接面と、
前記カップ部の前記カップ当接面と反対側に形成されたカップ底部と、
前記腕部に形成された前記生検鉗子部材を回動させるための軸孔と、
前記軸孔に嵌合する軸と、
を有する内視鏡用処置具において、前記カップ当接面が前記軸孔の中心よりも前記カップ底部側と反対側にずれて配置されていることを特徴とする内視鏡用処置具。
【００８５】
（付記項１６）  可撓性を有するコイルと、
前記コイルの上に被覆された被覆部材と、
前記コイルの内腔に配設され、前記コイルの軸方向に進退自在な操作ワイヤと、
前記コイルの近位端と接続され、前記操作ワイヤの進退を行なうことができる操作部と、
前記コイルの遠位端に取り付けられた処置部材と、
を有する内視鏡用処置具において、前記被覆部材が前記コイルと前記処置部材の嵌合部まで被覆されていないことを特徴とする内視鏡用処置具。
【００８６】
（付記項１７）  前記コイルがステンレスなどの金属材料で作られていることを特徴とする付記項１６に記載の内視鏡用処置具。
（付記項１８）  前記被覆部材が、ポリオレフィン系樹脂材料、例えば、高密度ポリエチレン（ＨＤＰＥ），低密度ポリエチレン（ＬＤＰＥ），直鎖低密度ポリエチレン（ＬＬＤＰＥ），ポリエチレンテレフタレート（ＰＥＴ），ポリプロピレン（ＰＰ），ポリブチレンテレフタレート（ＰＢＴ）などや、フッ素系樹脂材料、例えば、ポリ四フッ化エチレン（ＰＴＦＥ），四フッ化エチレン・パーフルオロ・アルコキシ・エチレン樹脂（ＰＦＡ），四フッ化エチレン六フッ化プロピレン樹脂（ＦＥＰ），四フッ化エチレンエチレン（ＥＴＦＥ）などやポリアミド（ＰＡ），ポリアセタール（ＰＯＭ），ポリエーテル・エーテル・ケトン（ＰＥＥＫ），ポリカーボネイト（ＰＣ），アクリロトリル・ブタジエン・スチレン（ＡＢＳ）等の樹脂材料またはこれらの混合材料で被覆されていることを特徴とする付記項１６に記載の内視鏡用処置具。
【００８７】
（付記項１９）  前記被覆部材が、前記処置部材の先端より３０ｍｍ以上離れたところから被覆されていることを特徴とする付記項１６に記載の内視鏡用処置具。
【００８８】
（付記項２０）  可撓性を有する挿入部と、
前記挿入部の内腔に配設され、前記挿入部の軸方向に進退自在な操作ワイヤと、
前記挿入部の近位端と接続され、前記操作ワイヤの進退を行なうことができる操作部と、
前記挿入部の遠位端に取り付けられた処置部材と、
を有する内視鏡用処置具において、前記処置部材が冷間鍛造加工でできていることを特徴とする内視鏡用処置具。
【００８９】
（付記項２１）  前記処置部材が、ステンレス，アルミニウム，ニッケル，黄銅，チタニウム，鉄，リン青銅，タングステン，金，銀，銅等の金属またはこれらの合金でできていることを特徴とする付記項２０に記載の内視鏡用処置具。
【００９０】
（付記項２２）  前記冷間鍛造加工で前記処置部材が、板状の金属材を潰して形成されていることを特徴とする付記項２０に記載の内視鏡用処置具。
（付記項２３）  前記処置部材が、生検鉗子，把持鉗子，糸切鉗子，鋏鉗子，ホットバイオプシ鉗子，高周波スネア，回転クリップ装置，結紮装置，砕石具，採石バスケット，細胞診ブラシ，パピロトーム，高周波凝固子などの処置部であることを特徴とする付記項２０に記載の内視鏡用処置具。
【００９１】
（付記項２４）  前記処置部材が、ガス軟チッ化処理されていることを特徴とする付記項２０に記載の内視鏡用処置具。
（付記項２５）  前記処置部材が、金メッキ処理されていることを特徴とする付記項２０に記載の内視鏡用処置具。
【００９２】
（付記項２６）  前記処置部材が、下地の上にＰｎｉメッキと無光沢Ｎｉメッキをした上に金メッキ処理されていることを特徴とする付記項２５に記載の内視鏡用処置具。
【００９３】
（付記項１〜２６の従来技術）  従来技術には、特開平１１−７６２４４号公報の図１（ｂ）等に開示されるように、生検鉗子のカップ部縁周に形成されている刃の断面はおおよそ４５〜７０°のテーパ状に構成されている。
【００９４】
（付記項１〜２６が解決しようとする課題）  特開平１１−７６２４４号公報は、切刃が４５〜７０°位の角度で構成されているため、図１または図１の切刃部の拡大図である図１′に示すように組織を生検する時、組織に切刃を食いつかせるための角度θ′が小さいため、生検カップから組織が抜けやすく、組織の採取量が少ないという問題があった。
【００９５】
（付記項１〜２６の目的）  組織が切刃から滑りづらく、組織ヘの食いつきが良い内視鏡用処置具を提供することを目的としている。
（付記項１〜２６の課題を解決するための手段）  クレームと同じ。
【００９６】
（付記項１〜２６の作用）  図２または図２の刃部の拡大図である図２′に示すように切刃の角度θをカップの周縁面に対して８５°以上で９５°以下であり、特に加工をしやすいように略９０°に形成されているので、組織に切刃を食いつかせるための角度θがθ′よりも大きく、組織がカップから滑りにくいため、組織の採取量を多くすることができる。
【００９７】
（付記項１〜２６の効果）  組織をしっかりと掴め、引き千切る時にカップから組織が外れにくいので、組織が大きく取れ、病理学的な診断が容易になる。また、組織がカップから滑らないので組織の座滅も少なく、前述と同様に病理診断が容易になる。さらに、刃付けの加工・形成も形状がシンプルなので容易に行なうことができ、コストを抑えることができる。
【００９８】
【発明の効果】
本発明によれば、生検鉗子部材のカップ部の周縁上に設けられた内側の切刃の角度θを前記カップの周縁面に対して８５°以上で９５°以下に設定したので、カップ部の周縁上の内側の切刃から生体組織が滑りにくく、生体組織ヘの食いつきが良く、生体組織の採取量を比較的大きくすることができる。
【図面の簡単な説明】
【図１】  本発明の第１の実施の形態の内視鏡用生検鉗子全体の構成を示す側面図。
【図２】  （Ａ）は第１の実施の形態の生検鉗子の挿入部の先端部分を拡大して示す縦断面図、（Ｂ）は生検カップの正面図、（Ｃ）は生検カップの平面図。
【図３】  第１の実施の形態の生検鉗子のカップ保持部材を示す斜視図。
【図４】  （Ａ）は第１の実施の形態の生検鉗子の挿入部の内チューブの内腔に２本の操作ワイヤと１本のダミーワイヤを入れて成形した状態を示す横断面図、（Ｂ）は押出し式チューブ成形機を使用して内チューブと操作ワイヤとを一体的に組立てる状態を示す要部の縦断面図。
【図５】  第１の実施の形態の生検鉗子の生検カップとカップ保持部材との組立手順を説明するもので、（Ａ）は生検カップと針とをピンで仮組した状態を示す要部の縦断面図、（Ｂ）は生検カップのピンの中実軸部をカップ保持部材のスリットヘスライドさせている状態を示す要部の縦断面図。
【図６】  （Ａ）は第１の実施の形態の生検鉗子の生検カップのピンの中実軸部をカップ保持部材のスリットヘスライドさせて軸と孔の位置を合わせた状態を示す要部の縦断面図、（Ｂ）は生検カップのピンの皿部とカップ保持部材の皿受け部とを嵌合させた状態でカップ保持部材と接合させた状態を示す要部の縦断面図。
【図７】  （Ａ）は第１の実施の形態の生検鉗子の生検カップの切刃の刃面をピンの中心線よりも少しオフセットして配置した状態を示す要部の側面図、（Ｂ）は第１の実施の形態の生検鉗子の生検カップの先端間が突き当たった状態を示す要部の側面図。
【図８】  第１の実施の形態の生検鉗子の操作部における操作部本体へのスライダの取付け状態を示す要部の縦断面図。
【図９】  図８の断面を９０°回転させた状態を示す要部の縦断面図。
【図１０】  （Ａ）は図８の１０Ａ−１０Ａ線断面図、（Ｂ）は図８の１０Ｂ−１０Ｂ線断面図。
【図１１】  第１の実施の形態の生検鉗子の生検カップ間を閉じて生体組織を掴んだ状態を示す要部の縦断面図。
【図１２】  第１の実施の形態の生検鉗子の生検カップにおける内側の切刃の構造を示す要部の縦断面図。
【図１３】  （Ａ）は第１の実施の形態の生検鉗子の生検カップの第１の変形例を示す要部の縦断面図、（Ｂ）は第１の実施の形態の生検鉗子の生検カップの第２の変形例を示す要部の縦断面図、（Ｃ）は第１の実施の形態の生検鉗子の生検カップの第３の変形例を示す要部の縦断面図、（Ｄ）は第１の実施の形態の生検鉗子の生検カップの第４の変形例を示す要部の縦断面図。
【図１４】  本発明の第２の実施の形態の生検鉗子の生検カップを示す側面図。
【図１５】  第２の実施の形態の生検鉗子における生検カップの正面図。
【図１６】  第２の実施の形態の生検鉗子における生検カップのカップ部を一部断面にして示す側面図。
【図１７】  第２の実施の形態の生検鉗子における生検カップの内側の切刃の構造を示す要部の縦断面図。
【図１８】  第２の実施の形態の生検鉗子における生検カップの外接円から切刃がはみ出ない構造を示す生検カップの正面図。
【図１９】  図１８のＡ部の拡大図。
【図２０】  生検鉗子における生検カップの外接円から切刃がはみ出た状態を示す生検カップの正面図。
【図２１】  図２０のＢ部の拡大図。
【図２２】  本発明の第３の実施の形態の生検鉗子の生検カップを示す側面図。
【図２３】  第３の実施の形態の生検鉗子の生検カップの正面図。
【図２４】  （Ａ）は本発明の第４の実施の形態の生検鉗子の要部構成を示す側面図、（Ｂ）は本発明の第５の実施の形態の生検鉗子の要部構成を示す側面図。
【図２５】  従来の生検鉗子の生検カップ間を閉じて生体組織を掴んだ状態を示す要部の縦断面図。
【図２６】  図２５の生検鉗子の生検カップにおける内側の切刃の構造を示す要部の縦断面図。
【図２７】  第６の実施の形態における生検鉗子の要部構成を示す断面図。
【図２８】  従来の生検鉗子の要部構成を示す断面図。
【符号の説明】
２  挿入部
３  手元側の操作部
４  外装チューブ
５，６  操作ワイヤ
１３，１４  生検カップ（生検鉗子部材）
１６  カップ部
３０  スライダ（操作部材）
４４  内側の切刃
【図１】
0003745234.tif 000003
【図２】
0003745234.tif 000004
【図３】
0003745234.tif 000005
【図４】
0003745234.tif 000006
【図５】
0003745234.tif 000007
【図６】
0003745234.tif 000008
【図７】
0003745234.tif 000009
【図８】
0003745234.tif 000010
【図９】
0003745234.tif 000011
【図１０】
0003745234.tif 000012
【図１１】
0003745234.tif 000013
【図１２】
0003745234.tif 000014
【図１３】
0003745234.tif 000015
【図１４】
0003745234.tif 000016
【図１５】
0003745234.tif 000017
【図１６】
0003745234.tif 000018
【図１７】
0003745234.tif 000019
【図１８】
0003745234.tif 000020
【図１９】
0003745234.tif 000021
【図２０】
0003745234.tif 000022
【図２１】
0003745234.tif 000023
【図２２】
0003745234.tif 000024
【図２３】
0003745234.tif 000025
【図２４】
0003745234.tif 000026
【図２５】
0003745234.tif 000027
【図２６】
0003745234.tif 000028
【図２７】
0003745234.tif 000029
【図２８】
0003745234.tif 000030